(57)【特許請求の範囲】
【請求項１】
電子写真方式における画像担持体上の潜像を顕像化してトナー画像を形成するトナーを、水平方向に挿入された筒形状のトナー容器の内部から吐出して供給するトナー供給装置において、トナー容器の本体の最大径又はそれ以下の径を有する外周面に接触可能な円筒状の支持面を有しかつ上記トナー容器を上下方向に揺動可能に支持するトナー容器受け台と、上記トナー容器受け台に支持される上記トナー容器の上記本体の内部に貯蔵したトナーを吐出する開口を設けた一方の側端を嵌着して回転駆動する回転駆動手段と、上記トナー容器の上記本体の底方向での他方の側端の上記外周面に設けられこの外周面より次第に径を増大して段差となるかあるいは段差を有して次第に径を増大させる形状の係合部材と、この係合部材と係合可能で上記トナー容器受け台の下部に備えられ上記係合部材の段差との係合にて上記トナー容器を上方向又は下方向に振動させて上記トナー容器内壁に付着するトナーを加振する加振係合部材と、からなることを特徴とするトナー供給装置。
【請求項２】
請求項１記載のトナー供給装置において、加振係合部材は、トナー容器受け台の支持面で支持されるトナー容器の回転中心軸よりも下側の上記支持面に設けられていることを特徴とするトナー供給装置。
【請求項３】
請求項１又は２記載のトナー供給装置において、トナー容器は、回転可能なコロによって回転自在に支持されることを特徴とするトナー供給装置。
【請求項４】
請求項１、２又は３記載のトナー供給装置において、係合部材が突起であり、且つ加振係合部材が凹形状部材であることを特徴とするトナー供給装置。
【請求項５】
請求項１、２、３又は４記載のトナー供給装置において、係合部材は、トナー容器の外周面に複数個設けられていることを特徴とするトナー供給装置。
【請求項６】
請求項１、２、３、４又は５記載のトナー供給装置において、係合部材は、トナー容器の外周面に９０度の整数倍の周方向間隔を隔てて設けられた複数個の突起であることを特徴とするトナー供給装置。
【請求項７】
請求項１、２、５又は６記載のトナー供給装置において、係合部材は突起であり、加振係合部材も突起であることを特徴とするトナー供給装置。
【請求項８】
請求項１、２又は５記載のトナー供給装置において、係合部材が凹形状部材であり、加振係合部材が突起であることを特徴とするトナー供給装置。
【請求項９】
請求項４、６又は７記載のトナー供給装置において、係合部材の突起は、トナー容器の回転方向と逆の向き進むにつれて外周面より高くなる勾配面を有することを特徴とするトナー供給装置。
【請求項１０】
請求項８記載のトナー供給装置において、係合部材の凹形状部材は、トナー容器の回転方向の向きに進むにつれて外周面より低くなる勾配面を有することを特徴とするトナー供給装置。
【請求項１１】
請求項１、２、３、５、６、７、又は９記載のトナー供給装置において、加振係合部材は、トナー容器取り出し規制手段と兼用する構成を備えており、
加振係合部材は、トナー容器受け台によって支持されたトナー容器の底と対面する位置に突出した取出し規制位置と、該底と対面する位置から退避した取出し許可位置との間を進退自在に構成され、取出し規制位置にあるときに突起である係合部材と係合可能な状態になることを特徴とするトナー供給装置。
【請求項１２】
請求項１１記載のトナー供給装置において、トナー容器取り出し規制手段が、トナー容器の取り出し規制位置からトナー容器の取り出し規制解除位置に移動可能であることを特徴とするトナー供給装置。
【請求項１３】
請求項１１又は１２記載のトナー供給装置において、トナー容器取り出し規制手段は、トナー容器の開口が開いている場合に、取り出し規制位置からトナー容器の取り出し規制解除位置への移動を阻止する阻止手段を有することを特徴とするトナー供給装置。
【請求項１４】
請求項１乃至１３のいずれかに記載のトナー供給装置に水平方向に挿入されて使用されるトナー容器であって、筒形状の内部にトナーを貯蔵する本体と、上記本体の一方の端側に設けられて貯蔵したトナーを吐出する開口と、上記本体の上記開口を設けた一方の端側に設けられて回転駆動力を伝達する肩部と、上記本体の底を設けた他方の端側の最大径又はそれ以下の外周面に設けられて回転によりトナー容器自体が上下動する係合部材とからなることを特徴とするトナー容器。
【請求項１５】
請求項１４記載のトナー容器において、係合部材は、外周面に複数個設けられていることを特徴とするトナー容器。
【請求項１６】
請求項１４又は１５記載のトナー容器において、係合部材は、外周面に９０度の整数倍の周方向間隔を隔てて設けられた複数個の突起であることを特徴とするトナー容器。
【発明の詳細な説明】
【０００１】
【発明の属する技術分野】
本発明は、複写機、ファクシミリ装置、プリンターあるいはこれらの複合機等の画像形成装置等に使用されるトナー供給装置及びそれに使用するトナー容器に関し、特に、電子写真方式画像形成装置における画像担持体上の潜像を顕像化してトナー画像を形成するトナーを、水平方向に挿入された筒形状のトナー容器から吐出して画像形成装置に供給するトナー供給装置及びそれに使用するトナー容器に関する。
【０００２】
【従来の技術】
画像形成装置に設けた保持手段により略水平向きに保持されたトナー収納容器を回転させることによりトナーを軸方向へ移動させてトナー吐出口から吐出させるトナー補給装置において、吐出口を開閉するキャップ内栓を脱着するキャップ内栓脱着手段と、保持手段に保持されたトナー収納容器にキャップ内栓が取り付けられているか否かを検知する検知手段とを備え、この検知手段による検知結果に基づいてキャップ内栓が取り付けられていないことを警告して、トナー吐出口からキヤップを取り外した状態のセットを防止してトナーがこぼれないようにするトナー補給装置は公知である（特開平７―４４００１号の公報を参照）。
図３０及び図３１は第１の従来例の画像形成装置の略図、及びトナー補給装置の構成図であり、画像形成装置１１０には、電子写真方式における画像担持体１１１の感光体ドラム上の潜像を顕像化してトナー画像を形成する現像手段１１２にトナーを供給するために、現像手段１１２のトナーホッパー１１２ａの上部にトナー供給装置１００が搭載されている。
トナー供給装置１００は、トナー容器１０１の筒形状の本体１０１ａ内に貯蔵したトナー（Ｔ）を吐出する開口１０１ｃ側をトナー容器保持手段１０６で保持し、トナー容器保持手段１０６の図示しない爪とトナー容器１０１の肩部とを係合させた状態で、トナー容器保持手段１０６を回転駆動手段１０３により回転させることによりトナー容器１０１を回転させる。その際、開口１０１ｃを閉止していた開閉手段１０８の栓１０８ａを、移動手段１０８ｂにより抜き取り、トナー容器１０１内のトナー（Ｔ）を開口１０１ｃへ送り吐出し、トナー搬送手段１０７のトナー移送経路１０７ａを通って直接トナーホッパー１１２ａに移送するようにした技術も公知である。
【０００３】
図３２及び図３３は他の従来例の画像形成装置の略図、及びトナー補給装置の構成図であり、画像形成装置２１０には、電子写真方式における画像担持体２１１の感光体ドラム上の潜像を顕像化してトナー画像を形成する現像手段２１２のトナーホッパー２１２ａにトナーを供給するために、現像手段２１２から離れた位置に２本のトナー容器２０１を水平方向に挿入したトナー供給装置２００が配置されている。
トナー供給装置２００は、各トナー容器２０１の筒形状本体２０１ａ内に貯蔵したトナー（Ｔ）を吐出する開口２０１ｃ側をトナー容器保持手段２０６で保持し、図示しないトナー容器保持手段２０６の爪とトナー容器２０１の肩部とを係合させた状態で、トナー容器保持手段２０６を回転駆動手段２０３により回転させることにより、トナー容器２０１の開口２０１ｃから開閉手段２０８の栓２０８ａを移動手段２０８ｂで抜き、回転させ、トナー容器２０１内のトナー（Ｔ）を開口２０１ｃへ送り吐出し、トナー移送手段２０７のトナー移送経路２０７ａから搬送スクリュ２０７ｂを経てトナー移送手段２０９の粉体ポンプにより混合気搬送管２０７ｃを介してトナー（Ｔ）と気体との混合気としてトナーホッパー２１２ａに移送してトナーを空気と分離して供給するようにした技術も公知である。
また、円筒状の容器本体の一端面の中央部にトナー出口を形成したトナー収納容器と、トナー収納容器を現像部へのトナー導入部に連通させた状態で略水平向きに保持する保持手段と、保持手段に保持されたトナー収納容器をその軸線回りに回転させる回転駆動手段と、上記保持手段に揺動可能に取り付けられ、保持手段に保持されたトナー収納容器を叩く方向にバネ付勢された揺動部材の叩き部（弾性部材）を備え、トナー収納容器に対して振動を与えてトナーの壁面付着を防止するようにした容器内壁トナー付着防止装置は公知である（特開平８―９５３６１号の公報を参照）。
【０００４】
図３４及び図３５他の従来例のトナー補給装置の要部構成図であり、トナー供給装置３００は、円筒状のトナー容器３０１の本体３０１ａの外周面３０１ｂにトナー容器受け台３０２の支持面３０２ａを接触させた状態でトナー容器３０１を水平方向に支持し、このトナー容器受け台３０２の支持面３０２ａに支持されたトナー容器３０１をトナー容器３０１の軸方向底側の一方の端に設けられた図示しない回転駆動手段により図示の矢印Ａ方向に回転させ、この回転によりトナー容器３０１中のトナーを開口３０１ｃ側に搬送してトナーをトナー容器３０１の外部に吐出し、トナー容器３０１の最大の外径となる外周面３０１ｂの開口３０１ｃ側の一方の端に設けられた突起３０１ｆが没入する凹部３０４をトナー容器受け台３０２のトナー容器３０１の回転中心軸よりも下側に形成して、トナー容器３０１の回転によりトナー容器３０１自体が上下動に振動してトナー容器３０１内壁に付着したトナーを加振して剥がし、トナー同士も分離させるようにした技術は同一出願人の発明者から提案されている。
然し、これらの従来のトナー供給装置及びそれに使用するトナー容器においては、トナー容器内壁に付着して残留するトナーを剥がして使用すために、トナー容器の外周面を叩く振動が騒音となり、トナー容器の最大の外径となる外周面部の出口側の一端に設けられた突起が没入する凹部を受け台のトナー容器中心軸下側に形成して、トナー容器の回転によりトナー容器自体を上下動したとしても、トナー容器内壁に付着して剥がれずにトナーが残留したり、トナー同士も凝集して離れずトナー容器外へのトナーの流動性も悪く、トナー容器を収容する収容部断面が大きくなり、トナー容器の梱包材や装置全体も大型になると言う不具合が生じていた。
【０００５】
【発明が解決しようとする課題】
前述した従来のトナー供給装置及びそれに使用するトナー容器は、トナー容器内壁に付着するトナーを剥がして使用するために、トナー容器の外周面を叩く振動が騒音となり、トナー容器の最大の外径となる外周面部の出口側の一端に設けられた突起が没入する凹部を受け台のトナー容器中心軸下側に形成して、トナー容器の回転によりトナー容器自体を上下動したとしても、トナー容器内壁に付着して剥がれずにトナーが残留したり、トナー同士も凝集してバラバラにならずトナー容器外へのトナーの流動性も悪く、トナー容器を収容する収容部断面が大きくなり、トナー容器の梱包材や装置全体も大型になと言う問題が生じていた。
そこで本発明の課題は、このような問題点を解決するものである。即ち、トナー容器内壁に付着したトナーを剥がす騒音を発生することなく、トナー容器の回転によりトナー容器自体がトナー容器受け台上を大きく上下動可能にして、トナー容器内壁に付着したトナーを剥がし、凝集しているトナー同士もバラバラに離れて流動性も良くトナー容器内にトナーが残留することなくトナーの供給を行うことが出来、更にトナー容器を収容する収容部断面が小さく、トナー容器の梱包材も小型で、格安で誤操作を防止してトナー飛散によるトナー汚れのない小型のトナー供給装置及びそれに使用するトナー容器を提供することを目的とする。
【０００６】
【課題を解決するための手段】
上記目的を達成するために、請求項１の本発明は、電子写真方式における画像担持体上の潜像を顕像化してトナー画像を形成するトナーを、水平方向に挿入された筒形状のトナー容器の内部から吐出して供給するトナー供給装置において、トナー容器の本体の最大径又はそれ以下の径を有する外周面に接触可能な円筒状の支持面を有しかつ上記トナー容器を上下方向に揺動可能に支持するトナー容器受け台と、上記トナー容器受け台に支持される上記トナー容器の上記本体の内部に貯蔵したトナーを吐出する開口を設けた一方の側端を嵌着して回転駆動する回転駆動手段と、上記トナー容器の上記本体の底方向での他方の側端の上記外周面に設けられこの外周面より次第に径を増大して段差となるかあるいは段差を有して次第に径を増大させる形状の係合部材と、この係合部材と係合可能で上記トナー容器受け台の下部に備えられ上記係合部材との係合にて上記トナー容器を上方向又は下方向に振動させて上記トナー容器内壁に付着するトナーを加振する加振係合部材と、からなることを最も主要な特徴とする。
請求項２の本発明は、請求項１記載のトナー供給装置において、加振係合部材は、トナー容器受け台の支持面で支持されるトナー容器の回転中心軸よりも下側の上記支持面に設けられたトナー供給装置であることを主要な特徴とする。
請求項３の本発明は、請求項１又は２記載のトナー供給装置において、トナー容器は、回転可能なコロで支持されるトナー供給装置であることを主要な特徴とする。
請求項４の本発明は、請求項１、２又は３記載のトナー供給装置において、係合部材が突起で、加振係合部材が凹形状部材であるトナー供給装置であることを主要な特徴とする。
請求項５の本発明は、請求項１、２、３又は４記載のトナー供給装置において、係合部材は、トナー容器の外周面に複数個設けられているトナー供給装置であることを主要な特徴とする。
請求項６の本発明は、請求項１、２、３、４又は５記載のトナー供給装置において、係合部材は、トナー容器の外周面に９０度の整数倍の周方向間隔を隔てて設けられた複数個の突起であることを特徴とする。
請求項７の本発明は、請求項１、２、５又は６記載のトナー供給装置において、係合部材は突起であり、加振係合部材も突起であることを特徴とする。
請求項８の本発明は、請求項１、２又は５記載のトナー供給装置において、係合部材が凹形状部材で、加振係合部材が突起であるトナー供給装置であることを主要な特徴とする。
請求項９の本発明は、請求項４、６又は７記載のトナー供給装置において、係合部材の突起は、トナー容器の回転方向と逆の向き進むにつれて外周面より高くなる勾配面を有するトナー供給装置であることを主要な特徴とする。
請求項１０の本発明は、請求項８記載のトナー供給装置において、係合部材のが凹形状部材は、トナー容器の回転方向の向きに進むにつれて外周面より低くなる勾配面を有するトナー供給装置であることを主要な特徴とする。
請求項１１の本発明は、請求項１、２、３、５、６、７、又は９記載のトナー供給装置において、加振係合部材は、トナー容器取り出し規制手段と兼用する構成を備えており、加振係合部材は、トナー容器受け台によって支持されたトナー容器の底と対面する位置に突出した取出し規制位置と、該底と対面する位置から退避した取出し許可位置との間を進退自在に構成され、取出し規制位置にあるときに突起である係合部材と係合可能な状態になることを特徴とする。
請求項１２の本発明は、請求項１１記載のトナー供給装置において、トナー容器取り出し規制手段が、トナー容器の取り出し規制位置からトナー容器の取り出し規制解除位置に移動可能であるトナー供給装置であることを主要な特徴とする。
請求項１３の本発明は、請求項１１又は１２記載のトナー供給装置において、トナー容器取り出し規制手段が、トナー容器の開口が開いている場合に、取り出し規制位置からトナー容器の取り出し規制解除位置への移動を阻止する阻止手段を有するトナー供給装置であることを主要な特徴とする。
請求項１４の本発明は、請求項１乃至１３記載のトナー供給装置に水平方向に挿入されて使用されるトナー容器において、筒形状の内部にトナーを貯蔵する本体と、上記本体の一方の端側に設けられて貯蔵したトナーを吐出する開口と、上記本体の上記開口を設けた一方の端側に設けられた回転駆動力を伝達する肩部と、上記本体の底を設けた他方の端側の最大径又はそれ以下の外周面に設けられて回転によりトナー容器自体が上下動する係合部材とからなるトナー容器であることを最も主要な特徴とする。
請求項１５の本発明は、請求項１４記載のトナー容器において、係合部材は、外周面に複数個が設けられているトナー容器であることを主要な特徴とする。
請求項１６の本発明は、請求項１４又は１５記載のトナー容器において、係合部材は、外周面に９０度の整数倍の周方向間隔を隔てて設けられた複数個の突起であることを特徴とする。
【０００７】
【作用】
上記のように構成されたトナー供給装置及びそれに使用するトナー容器は、請求項１においては、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようにする。
請求項２においては、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材とトナー容器受け台の支持面で支持されるトナー容器の回転中心軸よりも下側の支持面に設けられた加振係合部材が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来ると共に加振係合部材がトナー容器受け台の支持面で支持されるトナー容器の回転中心軸よりも下側の支持面に設けられる位置に対応するトナー容器内にはトナーが存在しているので、発生する音や振動をトナーが吸収するから低騒音で低振動で小型のトナー供給装置を提供することが出来るようにする。
請求項３においては、トナー容器の本体の外周面に接触して揺動可能に支持するトナー容器受け台の回転可能なコロに支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の低負荷の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようにする。
請求項４においては、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材の突起と加振係合部材の凹形状部材が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようにする。
請求項５においては、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に複数個が設けられた係合部材と加振係合部材が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動の振動数が増大して、トナー容器内壁に付着したトナーを確実に早く剥がし、凝集しているトナー同士もバラバラに離れて流動性が良くなり、トナー容器内にトナーが残留することなくトナーの供給を行うことが出来る小型のトナー供給装置を提供することが出来るようにする。請求項６においては、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に複数個が９０度の整数倍の位置に設けられた係合部材の突起と加振係合部材が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動の振動数が増大して、トナー容器内壁に付着したトナーを確実に早く剥がし、凝集しているトナー同士もバラバラに離れて流動性が良くなり、トナー容器内にトナーが残留することなくトナーの供給を行うことが出来ると共にトナー容器を収容する収容部断面が小さく、梱包材も小型になるトナー供給装置を提供することが出来るようにする。
請求項７においては、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材の突起と加振係合部材の突起が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようにする。
請求項８においては、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材の凹形状部材と加振係合部材の突起が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようにする。
請求項９において、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材のトナー容器の回転方向と逆の向き進むにつれて外周面より高くなる勾配面を有する突起と加振係合部材の凹形状部材が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の低負荷の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようにする。請求項１０において、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材のトナー容器の回転方向の向きに進むにつれて外周面より低くなる勾配面を有する凹形状部材と加振係合部材の突起が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の低負荷の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようにする。請求項１１において、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材の兼用するトナー容器取り出し規制手段が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る格安な小型のトナー供給装置を提供することが出来るようにする。
請求項１２において、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材の兼用するトナー容器の取り出し規制位置からトナー容器の取り出し規制解除位置に移動可能であるトナー容器取り出し規制手段が係合してトナー容器を振動させて、トナー容器の最もトナー凝集が発生し易くて、トナー容器内壁に付着し易い底側のトナーを加振するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る格安でトナー容器の操作性の優れた小型のトナー供給装置を提供することが出来るようにする。
請求項１３において、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材の兼用するトナー容器取り出し規制手段が係合してトナー容器を振動させて、トナー容器の最もトナー凝集が発生し易くて、トナー容器内壁に付着し易い底側のトナーを加振すると共に阻止手段によりトナー容器取り出し規制手段が、トナー容器の開口が開いている場合に、取り出し規制位置からトナー容器の取り出し規制解除位置への移動を阻止するようにして、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る格安で誤操作を防止してトナー飛散によるトナー汚れのない小型のトナー供給装置を提供することが出来るようにする。
請求項１４において、トナー供給装置に水平方向に挿入されて使用されるトナー容器の筒形状の内部にトナーを貯蔵する本体の一方の端側に設けられて貯蔵したトナーを吐出する開口を設けた一方の端側に回転駆動力を伝達する肩部を設け、本体の底を設けた他方の端側の最大径又はそれ以下の外周面に係合部材を設けて回転によりトナー容器自体が上下動するようにして、トナー供給装置に使用して、トナー容器内壁に付着したトナーを剥がす騒音を発生することなく、トナー容器の回転によりトナー容器自体がトナー容器受け台上を大きく上下動可能にして、トナー容器内壁に付着したトナーを剥がし、凝集しているトナー同士もバラバラに離れて流動性も良くなり、トナー容器内にトナーが残留することなくトナーの吐出を行うことが出来る小型のトナー容器を提供することが出来るようにする。
請求項１５においては、トナー供給装置に水平方向に挿入されて使用されるトナー容器の筒形状の内部にトナーを貯蔵する本体の一方の端側に設けられて貯蔵したトナーを吐出する開口を設けた一方の端側に回転駆動力を伝達する肩部を設け、本体の底を設けた他方の端側の最大径又はそれ以下の外周面に複数個の係合部材を設けて回転によりトナー容器自体が上下動するするようにして、トナー供給装置に使用して、トナー容器内壁に付着したトナーを剥がす騒音を発生することなく、トナー容器の回転によりトナー容器自体がトナー容器受け台上を大きく上下動の振動数の増大が可能になり、トナー容器内壁に付着したトナーを確実に早く剥がし、凝集しているトナー同士もバラバラに離れて流動性も良くなり、トナー容器内にトナーが残留することなくトナーの吐出を行うことが出来る小型のトナー容器を提供することが出来るようにする。
請求項１６においては、トナー供給装置に水平方向に挿入されて使用されるトナー容器の筒形状の内部にトナーを貯蔵する本体の一方の端側に設けられて貯蔵したトナーを吐出する開口を設けた一方の端側に回転駆動力を伝達する肩部を設け、本体の底を設けた他方の端側の最大径又はそれ以下の外周面に係合部材の複数個の突起を９０度の整数倍の位置に設けて回転によりトナー容器自体が上下動するするようにして、トナー供給装置に使用して、トナー容器内壁に付着したトナーを剥がす騒音を発生することなく、トナー容器の回転によりトナー容器自体がトナー容器受け台上を大きく上下動可能にして、トナー容器内壁に付着したトナーを剥がし、凝集しているトナー同士もバラバラに離れて流動性も良くなり、トナー容器内にトナーが残留することなくトナーの吐出を行うことが出来ると共にトナー容器を収容する収容部断面が小さく、梱包材も小型になるトナー容器を提供することが出来るようにする。
【０００８】
【発明の実施の形態】
次に、本発明の実施の形態を図面を参照して詳細に説明する。
図１乃至図６は本発明の一形態例のトナー補給装置の説明図であり、図１はトナー容器を保持する機構と加振機構の構成を示す縦断面図、図２はトナー容器を回転させる機構例を示す図、図３及び図４は加振機構の作動状態を示す断面図、図５及び図６はトナー容器受け台の構成斜視図、及び縦断面図である。
図１乃至図６において、トナー供給装置０は、図示しない画像形成装置本体内部の現像手段の上部に搭載されるか、又は、現像手段の現像位置から離れた位置に独立して配置される。このトナー供給装置０に対して水平方向に挿入されるトナー容器１は、電子写真方式における潜像を顕像化してトナー画像を形成するトナー（Ｔ）を内部に貯蔵した筒形状の本体１ａを有し、本体１ａ内部に貯蔵したトナー（Ｔ）は開口１ｃから吐出される。トナー容器１は、吐出口１ｃを設けた一方の側端を回転駆動手段３の内ホルダ３ａ内に嵌着されて保持されている。ホルダ３ｂ内の内ホルダ３ａに対しては、トナー容器駆動モータ３ｃの回転駆動力が歯車列３ｄを介して伝達され、上記内ホルダ３ａと一体の爪３ａ１と肩部１ｅが係合して回転駆動力が伝達されて回転駆動される（図１、図２参照）。
図１、図３、図４、図５等に示すように、トナー容器受け台２の円筒状の支持面２ａは、回転駆動手段３により開口１ｃを設けた一方の側端を嵌着して回転駆動される上記トナー容器１の上記本体１ａの上記外周面１ｂに接触して、上記トナー容器１の軸方向の底１ｄが図１に示した矢印Ｂの範囲内を自由に移動出来て揺動可能に支持するようになっている。
【０００９】
上記トナー容器１の回転により、上記トナー容器１の上記本体１ａの上記底１ｄ方向の側端の最大径又はそれ以下の上記外周面１ｂに設けられた係合部材１ｆの突起１ｆ１と、上記トナー容器受け台２の上記支持面２ａで支持されるトナー容器１の回転中心軸よりも下側に設けられた加振係合部材４の凹形状部材４ａとが係合する。この加振係合部材４の上記凹形状部材４ａが支持面２ａにより支持される上記トナー容器１の回転中心軸よりも下側の上記支持面２ａに設けられる位置に対応する上記トナー容器１内にはトナー（Ｔ）が存在しているので、発生する音や振動をトナー（Ｔ）が吸収するから低騒音で低振動となり、上記トナー容器１を大きく上下動に振動させて、上記トナー容器１内に付着したトナー（Ｔ）を剥がし、凝集したトナー（Ｔ）同士もバラバラに離れて流動性も良くなり、上記トナー容器１内にトナー（Ｔ）が残留することなくトナー（Ｔ）の供給を行うことが出来る小型のトナー供給装置を提供することが出来るようになった。
つまり、トナー容器１が回転する過程で、トナー容器外周面の突起１ｆ１が、支持面２ａ側の凹形状部材４ａを通過する際に、容器底部１ｄが径方向に振れ、この振れによって内壁に付着したトナーの剥離や、凝集トナーの分離が促進されることとなる。
上記係合部材１ｆは、トナー容器１の上記本体１ａの最もトナー凝集が発生し易くて、上記トナー容器１内壁に付着し易い上記底１ｄ方向の他方の側端の最大径又はそれ以下の上記外周面１ｂに設けられているので、上記トナー容器１の回転により、上記トナー容器１を大きく上下動に振動させて上記トナー容器１内のトナー（Ｔ）に効果的に加振することができ、この振動による慣性でも、上記トナー容器１内壁からトナー（Ｔ）が剥がれ易くなり、トナー（Ｔ）の凝集に対しても効果的に防止出来る。
【００１０】
図７と図８は上記形態例の原理を更に説明ずる図であり、係合部材１ｆの突起１ｆ１は、上記トナー容器１の矢印Ｃの回転方向とは逆の向き進むにつれて最大径の外周面１ｂよりも高さが漸増する勾配面１ｆ３を有しているから、上記トナー容器１の回転がスムースに行われる（図３と図４を併せて参照）。
図９と図１０は上記形態例の変形例であり、この変形例のトナー容器は、上記係合部材１ｆの上記突起１ｆ１を、最大径の上記外周面１ｂではなく、小径の小径外周面１ｂ１に設けることにより、装置の小型化を図っている。即ち、トナー容器の軸方向端部に設けた小径外周面１ｂ１に突起１ｆ１を設けることにより、突起１ｆ１の突出長だけ容器の外径が大きくなるという不具合を解消できる。
図１１乃至図１４は本発明において採用する加振機構の一例の説明図であり、図１１及びは図１２はトナー容器等を径方向に切断した断面図、図１３はトナー容器受け台の斜視図、図１４は容器受け台の軸方向縦断面図である。各図において、トナー容器１の矢印Ｄ方向への回転により、上記トナー容器１の上記本体１ａの上記底１ｄ方向の側端の最大径又はそれ以下の上記外周面１ｂに設けられた係合部材１ｆの凹形状部材１ｆ２と、上記トナー容器受け台２の上記支持面２ａで支持される上記トナー容器１の回転中心軸よりも下側に設けられた上記加振係合部材４の突起４ｂが係合して、騒音を発生することなく、上記トナー容器１を大きく上下動に振動させて、上記トナー容器１内に付着したトナー（Ｔ）を剥がし、凝集トナー（Ｔ）同士もバラバラに分離させて流動性を高め、上記トナー容器１内に残留することなくトナー（Ｔ）の供給を行うことが出来る。
【００１１】
図１５と図１６は図１１等に示した形態例の原理を説明する図であり、上記係合部材１ｆの上記凹形状部材１ｆ２は、上記トナー容器１の矢印Ｄの回転方向に進むにつれて最大径の上記外周面１ｂより低くなる勾配面１ｆ４を有しているから、上記トナー容器１の回転がスムースに行われる（図１１と図１２を参照）。図１７と図１８は変形例であり、上記係合部材１ｆの上記凹形状部材１ｆ２を、最大径の上記外周面１ｂよりも小径の小径外周面１ｂ１に設けることにより、装置の小型化が可能になった。
図１９は本発明の他の形態例のトナー補給装置の構成を示す断面図であり、この形態例では、トナー容器取り出し規制手段の一部を利用して回転するトナー容器を加振するように構成している。同図において、上記トナー容器１の回動により、上記トナー容器本体１ａの底１ｄ方向の側端（他方の側端）の小径外周面１ｂ１に設けられた上記係合部材１ｆの突起１ｆ１と、上記トナー容器受け台２の上記支持面２ａよりも上記トナー容器１の回転中心側に出っ張っている、矢印Ｆ方向に回動して上記トナー容器１の取り出しの規制又は規制解除する兼用するトナー容器取り出し規制手段４ｃの凸形状部４ｃ１が係合して、騒音を発生することなく、上記トナー容器１を大きく上下動に振動させて、上記トナー容器１内に付着したトナー（Ｔ）を剥がし、トナー（Ｔ）同士もバラバラに離れて流動性も良く、上記トナー容器１内に残留することなくトナー（Ｔ）の供給を行うことが出来る操作性も良く格安で小型のトナー供給装置を提供することが出来るようになった。
即ち、トナー容器１の取り出しの規制又は規制解除する兼用するトナー容器取り出し規制手段４ｃの凸形状部４ｃ１を、加振手段として流用することにより、簡単な構成によって加振機構を実現している。凸形状部４ｃ１は、トナー容器の底面に係合して脱落を防止するばかりでなく、回転するトナー容器の突起１ｆ１と係合することにより、容器底部を径方向に振動させる手段となる。
【００１２】
図２０及び図２１は本発明の他の形態例の構成及び動作説明図であり、上記トナー容器１が矢印Ｇ方向へ回転する過程で、上記トナー容器１の本体１ａの底１ｄ方向の側端（他方の側端）の上記小径外周面１ｂ１に設けられた係合部材１ｆの上記突起１ｆ１と、上記トナー容器受け台２の上記支持面２ａよりも上記トナー容器１の回転中心側に出っ張っている固定凸形状部４ｄとが係合するように構成されている。そして、小径外周面１ｂ１に設けられた上記係合部材１ｆの上記突起１ｆ１と上記固定凸形状部４ｄとが対向していない時は、容器外周面がトナー容器受け台２の上記支持面２ａに直接接して支持され、上記小径外周面１ｂ１に設けられた係合部材１ｆの突起１ｆ１が固定凸形状部４ｄと対向している時は、固定凸形状部４ｄによって持ち上げられて、その後、落下して上記トナー容器受け台２の上記支持面２ａで受けるようにしたので騒音を発生することなく、上記トナー容器１を大きく上下動に振動させて、上記トナー容器１内に付着したトナー（Ｔ）を剥がし、トナー（Ｔ）同士もバラバラに離れて流動性も良く、上記トナー容器１内に残留することなくトナー（Ｔ）の供給を行うことが出来る小型のトナー供給装置を提供することが出来るようになった。
凸形状部４ｄとしては、固定された突起を用いることもできるし、図１９のように取り出し規制手段４ｃの凸形状部４ｃ１を用いることもできる。
【００１３】
図２２は本発明の他の形態例のトナー補給装置の構成を示す略図であり、上記トナー容器１の矢印Ｈ方向への回転により、上記トナー容器１の上記本体１ａの上記底１ｄ方向の他方の側端の上記小径外周面１ｂ１に設けられた上記係合部材１ｆの上記突起１ｆ１と、上記トナー容器受け台２の左右に配置された回転可能なコロ２ｂよりも上記トナー容器１の回転中心側に出っ張っている上記固定凸形状部４ｄ（或は凸形状部４ｃ１）が係合して、上記小径外周面１ｂ１に設けられた上記係合部材１ｆの上記突起１ｆ１と上記固定凸形状部４ｄと対向していない時は、上記トナー容器受け台２の上記コロ２ｂで支持され、上記小径外周面１ｂ１に設けられた上記係合部材１ｆの上記突起１ｆ１と上記固定凸形状部４ｄと対向している時は、上記固定凸形状部４ｄによって持ち上げられて、その後、落下して上記トナー容器受け台２の左右の上記コロ２ｂで受けるようにしたので、上記トナー容器１の回転する回転負荷を軽減して、騒音を発生することなく、上記トナー容器１を大きく上下動に振動させて、上記トナー容器１内に付着したトナー（Ｔ）を剥がし、トナー（Ｔ）同士もバラバラに離れて流動性も良く、上記トナー容器１内に残留することなくトナー（Ｔ）の供給を行うことが出来る小型のトナー供給装置を提供することが出来るようになった。
つまり、この形態例は、トナー容器の外周面を円筒状の受け台により支持する代わりに、回転自在なコロ２ｂにより支持し、突起１ｆ１と凸形状部４ｄとコロ２ｂとの協働によって加振動作を実現するものである。
【００１４】
図２３と図２４は他の形態例の構成及び動作説明図であり、上記トナー容器１の矢印Ｉ方向への回転により、上記トナー容器１の上記本体１ａの上記底１ｄ方向の他方の側端の小径外周面１ｂ１に設けられた上記係合部材１ｆの上記凹形状部材１ｆ２と、上記トナー容器受け台２の上記支持面２ａから上記トナー容器１の回転中心側に出っ張っている上記固定凸形状部４ｄ（或は凸形状部４ｃ１）とが係合するように構成されている。上記小径外周面１ｂ１に設けられた上記係合部材１ｆの上記凹形状部材１ｆ２と上記固定凸形状部４ｄとが対向している時は、上記トナー容器受け台２の上記支持面２ａにより外周面を支持され、上記小径外周面１ｂ１に設けられた上記係合部材１ｆの上記突起１ｆ１と上記固定凸形状部４ｄと対向していない時は、上記固定凸形状部４ｄによって持ち上げられて、その後、落下して上記トナー容器受け台２の上記支持面２ａで受けるようにしたので、騒音を発生することなく、上記トナー容器１を大きく上下動に振動させて、上記トナー容器１内に付着したトナー（Ｔ）を剥がし、トナー（Ｔ）同士もバラバラに離れて流動性も良くなり、上記トナー容器１内に残留することなくトナー（Ｔ）の供給を行うことが出来る小型のトナー供給装置を提供することが出来るようになった。
【００１５】
図２５及び図２６は本発明の他の形態例のトナー補給装置の構成及び動作説明図である。
この実施形態に係るトナー供給装置は、加振係合部材４がトナー容器取り出し規制手段４ｃと兼用する構成を備えている点が特徴的である。即ち、この加振係合部材４は、トナー容器受け台２によって支持されたトナー容器１の底１ｄと対面する位置に突出した取出し規制位置（図２５）と、底１ｄと対面する位置から退避した取出し許可位置（図２６）との間を進退自在に構成され、取出し規制位置にあるときに突起である係合部材１ｆと係合可能な状態になる。
即ち、図２５において、上記トナー容器取り出し規制手段４ｃが、上記トナー容器１の上記開口１ｃが開閉手段８の栓８ａを移動手段８ｂで矢印Ｊ方向に引き抜いて開いている場合に、上記移動手段８ｂと阻止手段５のレバー５ａが回転中心５ａ'を中心として矢印Ｋ方向に回動してストッパー５ｂが矢印Ｌ方向に連動して、上記トナー容器１の取り出し規制位置からトナー容器１の取り出し規制解除位置への矢印Ｍ方向への移動を阻止するようになっているから、上記トナー容器１の上記開口１ｃから上記栓８が抜かれた状態のままトナー供給装置０から上記トナー容器１を取り出し、上記開口１ｃからトナー（Ｔ）が漏れてトナー汚れを発生させる不具合を防止できる。規制手段４ｃは、回転中心４ｃ'を中心として上下方向に回動する一方で、バネ４ｃ"により反時計廻り方向に付勢されている。凸形状部４ｃ１は、加振手段を兼ねる。
【００１６】
図２６において、他方、上記トナー容器取り出し規制手段４ｃが、上記トナー容器１の上記開口１ｃが上記開閉手段８の上記栓８ａを上記移動手段８ｂで矢印０方向に押し込んで閉じている場合には、上記移動手段８ｂと上記阻止手段５の上記レバー５ａが矢印Ｐ方向に回動して上記ストッパー５ｂが矢印Ｑ方向に連動して、上記トナー容器１の取り出し規制位置から上記トナー容器１の取り出し規制解除位置への矢印Ｍ方向に自動的に移動可能になるから操作性の良い小型のトナー供給装置を提供することが出来るようになった。
この状態では、吐出口１ｃは閉じているので、トナー容器を取り出してもトナーの洩れは問題とならない。
【００１７】
図２７は本発明の他の形態例のトナー容器の外観斜視図であり、上記トナー容器１は、筒形状の内部にトナー（Ｔ）を貯蔵する上記本体１ａと、上記本体１ａの一方の端側に設けられて貯蔵したトナー（Ｔ）を吐出すると共に上記栓８ａにより開閉可能な開口１ｃと、上記本体１ａの上記開口１ｃを設けた一方の端側に設けられた回転駆動力を伝達する上記肩部１ｅと、上記本体１ａの上記底１ｄを設けた他方の端側の外周面１ｂに１個又は複数個が設けられ、回転時に図示しない凸形状部との係合により上下動する上記係合部材１ｆの上記突起１ｆ１とからなる。
上記トナー容器１の上記係合部材１ｆの上記突起１ｆ１を上記外周面１ｂに、例えば、図示しないが２個乃至４個の複数個を設けて上記トナー供給装置０に使用することにより、上記トナー容器１の回転により上下動の振動数の増大が可能になり、上記トナー容器１内壁に付着したトナー（Ｔ）を早く剥がし、トナー（Ｔ）同士もバラバラに確実に離れて流動性も良くなる。
【００１８】
図２８は本発明のトナー容器の他の形態例の外観斜視図であり、この形態例のトナー容器１は、筒形状の内部にトナー（Ｔ）を貯蔵する本体１ａと、上記本体１ａの一方の端側に設けられて貯蔵したトナー（Ｔ）を吐出すると共に上記栓８ａにより開閉される開口１ｃと、上記本体１ａの上記開口１ｃを設けた一方の端側に設けられた回転駆動力を伝達する上記肩部１ｅと、上記本体１ａの上記底１ｄを設けた他方の端側の外周面１ｂに１個又は複数個が設けられ、回転により自体が上下動する上記係合部材１ｆの上記凹形状部材１ｆ２とからなる。
上記トナー容器１の上記係合部材１ｆのを上記外周面１ｂに、例えば、図示しないが２個乃至４個の複数個を設けてトナー供給装置０に使用することにより、上記トナー容器１の回転により上下動の振動数の増大が可能になり、上記トナー容器１内壁に付着したトナー（Ｔ）を早く剥がし、トナー（Ｔ）同士もバラバラに確実に離れて流動性も良くなる。
図２９は本発明のトナー容器を梱包する際に使用する梱包材の説明図であり、上記トナー容器１の最大径の上記外周面１ｂ上に、上記係合部材１ｆの上記突起１ｆ１を２個又は図示しない４個を９０度の整数倍の周方向位置に設けることにより、梱包材１ｇの４隅が有効に活用出来るから、上記トナー容器１を収容する収容部断面が小さく、上記梱包材１ｇも小型になる上記トナー容器を提供することができるようになった。
【００１９】
【発明の効果】
本発明は、以上説明したように構成されているので、請求項１の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材が係合してトナー容器を径方向に振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようになった。
つまり、軸方向先端に位置する吐出開口を内側に向けて水平姿勢に装着されたトナー容器の軸方向底部を上下方向に振動させる加振機構を設けたので、容器内壁特に底面側に付着して剥離しにくいトナーを比較的容易に剥離させることができ、しかも騒音等が発生しにくいメリットを有する。この加振機構は、トナー容器の大径の外周、或は小径の外周に設けた係合部材と、係合部材と係合可能な加振係合部材とから成り、トナー容器の回転時に両部材が係合することによりトナー容器底部が上下動するだけの簡単な構成である。
請求項２の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材とトナー容器受け台の支持面で支持されるトナー容器の回転中心軸よりも下側の支持面に設けられた加振係合部材が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来ると共に加振係合部材がトナー容器受け台の支持面で支持されるトナー容器の回転中心軸よりも下側の支持面に設けられる位置に対応するトナー容器内にはトナーが存在しているので、発生する音や振動をトナーが吸収するから低騒音で低振動で小型のトナー供給装置を提供することが出来るようになった。
【００２０】
請求項３の発明によれば、トナー容器の本体の外周面に接触して揺動可能に支持するトナー容器受け台の回転可能なコロに支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の低負荷の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようになった。
円筒状のトナー容器外周面を円筒状のトナー容器受け台により支持してもよいが、このようにコロによってトナー容器外周面を支持してもよい。
請求項４の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材の突起と加振係合部材の凹形状部材が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようになった。
【００２１】
請求項５の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に複数個が設けられた係合部材と加振係合部材が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動の振動数が増大して、トナー容器内壁に付着したトナーを確実に早く剥がし、凝集しているトナー同士もバラバラに離れて流動性が良くなり、トナー容器内にトナーが残留することなくトナーの供給を行うことが出来るトナー供給装置を提供することが出来るようになった。係合部材を、トナー容器外周面に周方向間隔をおいて複数個設けたので、一回の回転中における加振回数が増大し、内壁に付着したトナーの剥離効果を更に高めることができる。
請求項６の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に複数個が９０度の整数倍の位置に設けられた係合部材の突起と加振係合部材が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動の振動数が増大して、トナー容器内壁に付着したトナーを確実に早く剥がし、凝集しているトナー同士もバラバラに離れて流動性が良くなり、トナー容器内にトナーが残留することなくトナーの供給を行うことが出来ると共にトナー容器を収容する収容部断面が小さく、梱包材も小型になるトナー供給装置を提供することが出来るようになった。
【００２２】
請求項７の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材の突起と加振係合部材の突起が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようになった。
請求項８の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材の凹形状部材と加振係合部材の突起が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようになった。
【００２３】
請求項９の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材のトナー容器の回転方向と逆の向き進むにつれて外周面より高くなる勾配面を有する突起と加振係合部材の凹形状部材が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の低負荷の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようになった。
係合部材が突起である場合に、突起が有する勾配は、トナー容器の回転方向と逆方向に向かうにつれて高さが漸増する、逆に言えばトナー容器の回転方向に沿って高さが漸減するように設定されているので、加振係合部材が係合部材の勾配に沿って移動することによりトナー容器の底部が外径方向へ振られ、勾配を乗り越えた時点で内径方向に復帰する。このため、低騒音且つ強力な加振効果を発揮することができる。
請求項１０の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材のトナー容器の回転方向の向きに進むにつれて外周面より低くなる勾配面を有する凹形状部材と加振係合部材の突起が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の低負荷の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る小型のトナー供給装置を提供することが出来るようになった。
【００２４】
請求項１１の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材の兼用するトナー容器取り出し規制手段が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る格安で小型のトナー供給装置を提供することが出来るようになった。つまり、従来トナー容器の取り出し規制手段としての用途しか有しなかった手段に、加振機構としての機能を付与することにより、部品点数の増大等による装置構成の大型化、複雑化、高コスト化を招くことなく、容器内部のトナー剥離を確実化することができる。
請求項１２の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材の兼用するトナー容器の取り出し規制位置からトナー容器の取り出し規制解除位置に移動可能であるトナー容器取り出し規制手段が係合してトナー容器を振動させて、トナー容器の最もトナー凝集が発生し易くて、トナー容器内壁に付着し易い底側のトナーを加振するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る格安でトナー容器の操作性の優れた小型のトナー供給装置を提供することが出来るようになった。
【００２５】
請求項１３の発明によれば、トナー容器の本体の外周面に接触して揺動可能に支持するトナー容器受け台に支持されるトナー容器の本体の内部に貯蔵したトナーを吐出する開口を設けた一方の側端を回転駆動手段で嵌着して回転駆動すると、トナー容器の本体の底方向の他方の側端の最大径又はそれ以下の外周面に設けられた係合部材と加振係合部材の兼用するトナー容器取り出し規制手段が係合してトナー容器を振動させて、トナー容器の最もトナー凝集が発生し易くて、トナー容器内壁に付着し易い底側のトナーを加振すると共に阻止手段によりトナー容器取り出し規制手段が、トナー容器の開口が開いている場合に、取り出し規制位置からトナー容器の取り出し規制解除位置への移動を阻止するようにしたので、トナー容器内壁に付着したトナーを剥がす騒音を発生することなく、トナー容器の回転によりトナー容器自体の底側がトナー容器受け台上を他に制限されることなく大きく上下動して、トナー容器内壁に付着したトナーを確実に剥がし、凝集しているトナー同士もバラバラに離れて流動性が良くなり、トナー容器内にトナーが残留することなくトナーの供給を行うことが出来る格安で誤操作を防止してトナー飛散によるトナー汚れのない小型のトナー供給装置を提供することが出来るようになった。
請求項１４の発明によれば、トナー供給装置に水平方向に挿入されて使用されるトナー容器の筒形状の内部にトナーを貯蔵する本体の一方の端側に設けられて貯蔵したトナーを吐出する開口を設けた一方の端側に回転駆動力を伝達する肩部を設け、本体の底を設けた他方の端側の最大径又はそれ以下の外周面に係合部材を設けて回転によりトナー容器自体が上下動するようにしたので、トナー供給装置に使用して、トナー容器内壁に付着したトナーを剥がす騒音を発生することなく、トナー容器の回転によりトナー容器自体がトナー容器受け台上を大きく上下動可能にして、トナー容器内壁に付着したトナーを剥がし、凝集しているトナー同士もバラバラに離れて流動性も良くなり、トナー容器内にトナーが残留することなくトナーの吐出を行うことが出来る小型のトナー容器を提供することが出来るようになった。
【００２６】
請求項１５の発明によれば、トナー供給装置に水平方向に挿入されて使用されるトナー容器の筒形状の内部にトナーを貯蔵する本体の一方の端側に設けられて貯蔵したトナーを吐出する開口を設けた一方の端側に回転駆動力を伝達する肩部を設け、本体の底を設けた他方の端側の最大径又はそれ以下の外周面に複数個の係合部材を設けて回転によりトナー容器自体が上下動するするようにしたので、トナー供給装置に使用して、トナー容器内壁に付着したトナーを剥がす騒音を発生することなく、トナー容器の回転によりトナー容器自体がトナー容器受け台上を大きく上下動の振動数の増大が可能になり、トナー容器内壁に付着したトナーを確実に早く剥がし、凝集しているトナー同士もバラバラに離れて流動性も良くなり、トナー容器内にトナーが残留することなくトナーの吐出を行うことが出来る小型のトナー容器を提供することが出来るようになった。
請求項１６の発明によれば、トナー供給装置に水平方向に挿入されて使用されるトナー容器の筒形状の内部にトナーを貯蔵する本体の一方の端側に設けられて貯蔵したトナーを吐出する開口を設けた一方の端側に回転駆動力を伝達する肩部を設け、本体の底を設けた他方の端側の最大径又はそれ以下の外周面に係合部材の複数個の突起を９０度の整数倍の位置に設けて回転によりトナー容器自体が上下動するするようにしたので、トナー供給装置に使用して、トナー容器内壁に付着したトナーを剥がす騒音を発生することなく、トナー容器の回転によりトナー容器自体がトナー容器受け台上を大きく上下動可能にして、トナー容器内壁に付着したトナーを剥がし、凝集しているトナー同士もバラバラに離れて流動性も良くなり、トナー容器内にトナーが残留することなくトナーの吐出を行うことが出来ると共にトナー容器を収容する収容部断面が小さく、梱包材も小型になるトナー容器を提供することが出来るようになった。
【図面の簡単な説明】
【図１】本発明の実施の形態例のトナー供給装置を説明する説明図である。
【図２】本発明の実施の形態例のトナー供給装置の主要部を説明する拡大図である。
【図３】本発明の実施の形態例のトナー供給装置の他の主要部の状態を説明する図１におけるＸ−Ｘ線断面図である。
【図４】本発明の実施の形態例のトナー供給装置の他の主要部の他の状態を説明する図１におけるＸ−Ｘ線断面図である。
【図５】本発明の実施の形態例のトナー供給装置の他の主要部を説明する斜視図である。
【図６】本発明の実施の形態例のトナー供給装置の他の主要部を説明する断面図である。
【図７】本発明の実施の形態例のトナー容器の正面図である。
【図８】本発明の実施の形態例を示す図７のトナー容器の右側面図である。
【図９】本発明の他の実施の形態例のトナー容器の正面図である。
【図１０】本発明の他の実施の形態例を示す図９のトナー容器の右側面図である。
【図１１】本発明の他の実施の形態例のトナー供給装置の他の主要部の他の状態を説明する説明図である。
【図１２】本発明の他の実施の形態例のトナー供給装置の他の主要部の他の状態を説明する説明図である。
【図１３】本発明の他の実施の形態例のトナー供給装置の他の主要部を説明する斜視図である。
【図１４】本発明の他の実施の形態例のトナー供給装置の他の主要部を説明する断面図である。
【図１５】本発明の他の実施の形態例のトナー容器の正面図である。
【図１６】本発明の他の実施の形態例を示す図１５のトナー容器の右側面図である。
【図１７】本発明の他の実施の形態例のトナー容器の正面図である。
【図１８】本発明の他の実施の形態例を示す図１７のトナー容器の右側面図である。
【図１９】本発明の他の実施の形態例のトナー供給装置を説明する説明図である。
【図２０】本発明の他の実施の形態例のトナー供給装置の他の主要部の他の状態を説明する説明図である。
【図２１】本発明の他の実施の形態例のトナー供給装置の他の主要部の他の状態を説明する説明図である。
【図２２】本発明の他の実施の形態例のトナー供給装置の他の主要部を説明する説明図である。
【図２３】本発明の他の実施の形態例のトナー供給装置の他の主要部の他の状態を説明する説明図である。
【図２４】本発明の他の実施の形態例のトナー供給装置の他の主要部の他の状態を説明する説明図である。
【図２５】本発明の他の実施の形態例のトナー供給装置の他の主要部の他の状態を説明する説明図である。
【図２６】本発明の他の実施の形態例のトナー供給装置の他の主要部の他の状態を説明する説明図である。
【図２７】本発明の実施の形態例のトナー容器を説明する斜視図である。
【図２８】本発明の他の実施の形態例のトナー容器を説明する斜視図である。
【図２９】本発明の他の実施の形態例のトナー容器を説明する斜視図である。
【図３０】画像形成装置に搭載された従来のトナー供給装置を説明する説明図である。
【図３１】従来のトナー供給装置を説明する説明図である。
【図３２】画像形成装置に搭載された従来の他のトナー供給装置を説明する説明図である。
【図３３】従来の他のトナー供給装置を説明する説明図である。
【図３４】従来の他のトナー供給装置の主要部の状態を説明する説明図である。
【図３５】従来の他のトナー供給装置の主要部の他の状態を説明する説明図である。
【符号の説明】
０  トナー供給装置
１  トナー容器、１ａ  本体、１ｂ  外周面、１ｂ１  小径外周面、１ｃ  開口、
１ｄ  底、１ｅ  肩部、１ｆ  係合部材、１ｆ１  突起、
１ｆ２  凹形状部材、１ｆ３  勾配面、１ｆ４  勾配面、
１ｇ  梱包材
２  トナー容器受け台、２ａ  支持面、２ｂ  コロ
３  回転駆動手段、３ａ  内ホルダ、３ａ１  爪、３ｂ  ホルダ、
３ｃ  トナー容器駆動モータ、３ｄ  歯車列
４  加振係合部材、４ａ  凹形状部材、４ｂ  突起、
４ｃ  トナー容器取り出し規制手段、４ｃ１  凸形状部
４ｄ  固定凸形状部
５  阻止手段、５ａ  レバー、５ｂ  ストッパー
８  開閉手段、８ａ  栓、８ｂ  移動手段
１００  トナー供給装置
１０１  トナー容器、１０１ａ  本体、１０１ｂ  外周面、１０１ｃ  開口
１０３  回転駆動手段
１０６  トナー容器保持手段
１０７  トナー搬送手段、１０７ａ  トナー移送経路
１０８  開閉手段、１０８ａ  栓、１０８ｂ  移動手段
１１０  画像形成装置
１１１  画像担持体
１１２  現像手段、１１２ａ  トナーホッパ
２００  トナー供給装置
２０１  トナー容器、２０１ａ  本体、２０１ｃ  開口
２０３  回転駆動手段
２０６  トナー容器保持手段
２０７  トナー搬送手段、２０７ａ  トナー移送経路、２０７ｂ  搬送スクリュ、２０７ｃ  混合気搬送管
２０８  開閉手段、２０８ａ  栓、２０８ｂ  移動手段
２０９  トナー移送手段
２１０  画像形成装置
２１１  画像担持体
２１２  現像手段、２１２ａ  トナーホッパー
３００  トナー供給装置
３０１  トナー容器、３０１ａ  本体、３０１ｂ  外周面、３０１ｃ  開口
３０１ｆ  突起
３０２  トナー容器受け台、３０２ａ  支持面
３０４  凹部
【図１】
0003562959.tif 000002
【図２】
0003562959.tif 000003
【図３】
0003562959.tif 000004
【図４】
0003562959.tif 000005
【図５】
0003562959.tif 000006
【図６】
0003562959.tif 000007
【図７】
0003562959.tif 000008
【図８】
0003562959.tif 000009
【図９】
0003562959.tif 000010
【図１０】
0003562959.tif 000011
【図１１】
0003562959.tif 000012
【図１２】
0003562959.tif 000013
【図１３】
0003562959.tif 000014
【図１４】
0003562959.tif 000015
【図１５】
0003562959.tif 000016
【図１６】
0003562959.tif 000017
【図１７】
0003562959.tif 000018
【図１８】
0003562959.tif 000019
【図１９】
0003562959.tif 000020
【図２０】
0003562959.tif 000021
【図２１】
0003562959.tif 000022
【図２２】
0003562959.tif 000023
【図２３】
0003562959.tif 000024
【図２４】
0003562959.tif 000025
【図２５】
0003562959.tif 000026
【図２６】
0003562959.tif 000027
【図２７】
0003562959.tif 000028
【図２８】
0003562959.tif 000029
【図２９】
0003562959.tif 000030
【図３０】
0003562959.tif 000031
【図３１】
0003562959.tif 000032
【図３２】
0003562959.tif 000033
【図３３】
0003562959.tif 000034
【図３４】
0003562959.tif 000035
【図３５】
0003562959.tif 000036